(57)【要約】【課題】良好な装着感を有するとともに、おむつに付与されたマーキングの視認性に優れており、更に、吸収性本体を交換することによって、このマーキングの図案を変更することができるパンツ型使い捨ておむつを提供する。【解決手段】本発明のパンツ型使い捨ておむつ１は、前身頃２、股下部４及び後身頃６の各部を形成する外装部材１６と、吸収体２２、トップシート１８、及びバックシート２０を有する吸収性本体１４とを備え、吸収性本体１４は、外装部材１６の少なくとも股下部４に取外し可能な状態で接合されており、吸収性本体１４は、そのバックシート２０側から視認することができるマーキング５８が付されており、外装部材１６の外側から吸収性本体１４のマーキング５８が視認可能に構成されている。【選択図】図２
2008136515.tif 000002
【特許請求の範囲】
【請求項１】
前身頃、股下部及び後身頃の各部から構成され、前記前身頃と前記後身頃の対応する側縁部同士が接合されて、一つのウエスト周り開口部及び一対の脚周り開口部が形成されたパンツ型使い捨ておむつであって、
外装部材と、吸収性本体とを備え、
前記外装部材は、前記前身頃、前記股下部及び前記後身頃の各部を形成するものであり、
前記吸収性本体は、排泄物吸収用の吸収体と、前記吸収体の表面を被覆するように配置された、少なくとも一部が液透過性材料からなるトップシートと、前記吸収体の裏面を被覆するように配置されたバックシートとを有するものであり、
前記吸収性本体は、前記外装部材の少なくとも前記股下部に取外し可能な状態で接合されており、
前記吸収性本体は、その前記バックシート側から視認することができるマーキングが付されており、前記外装部材を透過して前記マーキングが視認可能に構成されているパンツ型使い捨ておむつ。
【請求項２】
前記マーキングが、おむつの前後の識別用のものである請求項１に記載のパンツ型使い捨ておむつ。
【請求項３】
前記マーキングが、水溶性の着色剤からなる請求項１又は２に記載のパンツ型使い捨ておむつ。
【請求項４】
前記マーキングが、ｐＨ変化指示薬、被酸化性指示薬、水分変化指示薬、及び脱水指示薬からなる群より選択される少なくとも一種の指示薬を含んだものである請求項１〜３のいずれか一項に記載のパンツ型使い捨ておむつ。
【請求項５】
前記外装部材は、酸化チタンの含有率が１質量％以下の不織布からなるものである請求項１〜４のいずれか一項に記載のパンツ型使い捨ておむつ。
【請求項６】
前記外装部材は、前記前身頃、前記股下部及び前記後身頃の各部を形成する不織布からなる外装体と、前記外装体の内面に配置された液不透過性材料からなる液不透過性シートとから構成され、
前記吸収性本体は、前記液不透過性シートに取外し可能な状態で接合されている請求項１〜５のいずれか一項に記載のパンツ型使い捨ておむつ。
【請求項７】
前記吸収性本体は、再接着が不可能な粘着剤層によって、前記外装部材に接合されている請求項１〜６のいずれか一項に記載のパンツ型使い捨ておむつ。
【発明の詳細な説明】
【技術分野】
【０００１】
本発明は、パンツ型使い捨ておむつに関する。更に詳しくは、一つのウエスト周り開口部と一対の脚周り開口部が形成され、パンツ型に構成され、吸収性本体が取外し可能なパンツ型使い捨ておむつに関する。
【背景技術】
【０００２】
パンツ型使い捨ておむつとは、例えば、図２４に示すパンツ型使い捨ておむつ１２０のように、前身頃２、股下部４及び後身頃６の各部から構成され、前身頃２と後身頃６の対応する側縁部同士が接合されて、一つのウエスト周り開口部１０と一対の脚周り開口部１２（１２ａ，１２ｂ）が形成された使い捨てのおむつである。このようなパンツ型使い捨ておむつにおいては、ウエスト周り開口部１０と脚周り開口部１２（１２ａ，１２ｂ）に沿って、糸ゴム等の伸縮材（例えば、ウエスト周り伸縮材４２、脚周り伸縮材４０、腹周り伸縮材４４）を配置する構成が一般的である（例えば、特許文献１参照）。
【０００３】
パンツ型使い捨ておむつは、布製のパンツを履かせるのと同様の手順で着用者に装着させることができるため、短時間でおむつの交換を行うことができることに加え、着用者を立たせたままでおむつの交換を行うこともできる。また、テープ型おむつのように、固定テープによってウエスト周り寸法を調節する必要がなく、おむつの交換が容易であるという利点をも有するものである。
【０００４】
このような従来のパンツ型使い捨ておむつにおいては、審美性等の向上を図って、図形等のマーキングが印刷されたものがある。例えば、パンツ型使い捨ておむつを構成する外装部材の表面にマーキングが印刷されたパンツ型使い捨ておむつが提案されている（例えば、特許文献２参照）。このように構成されたパンツ型使い捨ておむつは、特に乳幼児用や子供用のおむつとして用いられている。
【０００５】
一方、高齢者等が着用する成人用のパンツ型使い捨ておむつは、一般に子供用のようなイラスト等のマーキングがなく、無地のシンプルなものが多い。このため、パンツ型使い捨ておむつの前後の識別が難しいのが実状である。通常、パンツ型使い捨ておむつに配置される弾性部材等の一部を着色し、着色された弾性部材の配置方向（背側や腹側の一方のみ）で前後の区別を行っている。しかし、高齢者は視力が低下している人も多く、更に夜間のおむつ交換などでは、弾性部材の色の識別では十分な前後の区別がつかないことが多い。このようなことから、例えば、使用済みのおむつを廃棄する際に、排泄物が付着した部分を内側にして丸めて止めるために付設されている廃棄テープに、「うしろ」等のマーキングを付して前後の区別を行ったり、大きな文字で「うしろ」という印刷を後身頃側に入れる等の方法が用いられている。
【０００６】
また、このようなパンツ型使い捨ておむつの着用者が乳幼児や要介護者等である場合、パンツ型使い捨ておむつが汚れたことを介護者に知らせることができないため、介護者が新しいおむつと交換することを忘れたり、あるいは遅れたりすることがあった。このため、濡れ検知機能を付与したパンツ型使い捨ておむつが提案されている（例えば、特許文献３参照）。
【０００７】
【特許文献１】登録実用新案第３０２４３５７号公報
【特許文献２】特開２００４−２５４８６１号公報
【特許文献３】特開２００４−１８１１５２号公報
【発明の開示】
【発明が解決しようとする課題】
【０００８】
しかしながら、上記したような、前後の識別を行うマーキングを付した廃棄テープを配置したパンツ型使い捨ておむつにおいては、廃棄テープ自体が小さいために、文字が読み難いばかりでなく、繰り返し使用する大人用のパンツ型使い捨ておむつでは、廃棄テープ自体がよれて、衣服に付着してしまう等のトラブルを引き起こすという問題があった。また、後身頃側に「うしろ」等の印刷を行った場合には、前後の区別が行い易いものの、パンツ型使い捨ておむつは一度着用してしまうと、前後の区別を行う必要がないため、おむつのデザイン性を損ねてしまうという問題があった。
【０００９】
また、上記したように高齢者が着用するパンツ型使い捨ておむつは無地のものが一般的であるが、着用者の趣味が多様であるため、おむつのデザインに対する楽しみが必ずしも満足できるものではなかった。
【００１０】
本発明は、このような従来技術の課題を解決するためになされたものであり、良好な装着感を有するとともに、自由な図案のマーキングを吸収性本体に付すことができるため視認性に優れており、更に、吸収性本体を交換することによって、このマーキングの図案を変更することができ、おむつのデザインに対する楽しみを満足させることが可能なパンツ型使い捨ておむつを提供するものである。
【課題を解決するための手段】
【００１１】
本発明者は、前記のような従来技術の課題を解決するために鋭意検討した結果、吸収性本体に、そのバックシート側から視認することができるマーキングを付し、この吸収性本体を、マーキングが視認可能な外装部材に取外し可能な状態で接合することにより、上記課題が解決されることに想到し、本発明を完成させた。具体的には、本発明により、以下のパンツ型使い捨ておむつが提供される。
【００１２】
［１］  前身頃、股下部及び後身頃の各部から構成され、前記前身頃と前記後身頃の対応する側縁部同士が接合されて、一つのウエスト周り開口部及び一対の脚周り開口部が形成されたパンツ型使い捨ておむつであって、外装部材と、吸収性本体とを備え、前記外装部材は、前記前身頃、前記股下部及び前記後身頃の各部を形成するものであり、前記吸収性本体は、排泄物吸収用の吸収体と、前記吸収体の表面を被覆するように配置された、少なくとも一部が液透過性材料からなるトップシートと、前記吸収体の裏面を被覆するように配置されたバックシートとを有するものであり、前記吸収性本体は、前記外装部材の少なくとも前記股下部に取外し可能な状態で接合されており、前記吸収性本体は、その前記バックシート側から視認することができるマーキングが付されており、前記外装部材を透過して前記マーキングが視認可能に構成されているパンツ型使い捨ておむつ。
【００１３】
［２］  前記マーキングが、おむつの前後の識別用のものである前記［１］に記載のパンツ型使い捨ておむつ。
【００１４】
［３］  前記マーキングが、水溶性の着色剤からなる前記［１］又は［２］に記載のパンツ型使い捨ておむつ。
【００１５】
［４］  前記マーキングが、ｐＨ変化指示薬、被酸化性指示薬、水分変化指示薬、及び脱水指示薬からなる群より選択される少なくとも一種の指示薬を含んだものである前記［１］〜［３］のいずれかに記載のパンツ型使い捨ておむつ。
【００１６】
［５］  前記外装部材は、酸化チタンの含有率が１質量％以下の不織布からなるものである前記［１］〜［４］のいずれかに記載のパンツ型使い捨ておむつ。
【００１７】
［６］  前記外装部材は、前記前身頃、前記股下部及び前記後身頃の各部を形成する不織布からなる外装体と、前記外装体の内面に配置された液不透過性材料からなる液不透過性シートとから構成され、前記吸収性本体は、前記液不透過性シートに取外し可能な状態で接合されている前記［１］〜［５］のいずれかに記載のパンツ型使い捨ておむつ。
【００１８】
［７］  前記吸収性本体は、再接着が不可能な粘着剤層によって、前記外装部材に接合されている前記［１］〜［６］のいずれかに記載のパンツ型使い捨ておむつ。
【発明の効果】
【００１９】
本発明のパンツ型使い捨ておむつは、良好な装着感を有するとともに、おむつに付与されたマーキングの視認性に優れており、更に、吸収性本体を交換することによって、このマーキングの図案を変更することができ、おむつのデザインに対する楽しみを満足させることができる。また、おむつ着用時に排泄を行った際に、おむつ全体を交換する必要はなく、吸収性本体のみを交換することによって対応することができ、経済的であるとともに、衣服の着脱を伴うパンツ型使い捨ておむつの交換を行う必要がないため、簡便におむつを利用することができる。
【００２０】
また、本発明のパンツ型使い捨ておむつは、例えば、上記したマーキングとして、排泄物と接触することによりバックシート側に発色や変色などを生じさせる指示薬を含んだものを用いることにより、吸収性本体のみを交換することができるパンツ型使い捨ておむつにおいて、着用者が排泄したことを着用状態のままで介護者等が容易に確認することができ、適切な時機に吸収性本体を交換することができる。
【発明を実施するための最良の形態】
【００２１】
以下、本発明のパンツ型使い捨ておむつを実施するための最良の形態について具体的に説明する。但し、本発明はその発明特定事項を備えるパンツ型使い捨ておむつを広く包含するものであり、以下の実施形態に限定されるものではない。
【００２２】
なお、本明細書において「パンツ型使い捨ておむつ」というときは、図１に示すパンツ型使い捨ておむつ１のように、前身頃２と後身頃６の対応する側縁部同士（側縁部２ａ，６ａ、側縁部２ｂ，６ｂ）を接合することによって、側縁接合部８、一つのウエスト周り開口部１０及び一対の脚周り開口部１２ａ，１２ｂが形成され、予めパンツ型に構成されたおむつを意味するものとする。
【００２３】
また、本明細書において、「前身頃」とは、着用者におむつを装着した際に、着用者の腹側（身体前方）を覆う部分、「股下部」とは、着用者におむつを装着した際に、着用者の股下を覆う部分、「後身頃」とは、着用者におむつを装着した際に、着用者の背側（身体後方）を覆う部分を意味するものとする。
【００２４】
［１］本発明のパンツ型使い捨ておむつの構成：
本発明のパンツ型使い捨ておむつは、図１〜図７に示すパンツ型使い捨ておむつ１のように、前身頃２、股下部４及び後身頃６の各部から構成され、前身頃２と後身頃６の対応する側縁部２ａ，６ａ（２ｂ，６ｂ）同士が接合されて（側縁接合部８）、一つのウエスト周り開口部１０及び一対の脚周り開口部１２（１２ａ，１２ｂ）が形成されたパンツ型使い捨ておむつ１である。
【００２５】
この本発明のパンツ型使い捨ておむつ１は、外装部材１６と、吸収性本体１４とを備え、外装部材１６は、前身頃２、股下部４及び後身頃６の各部を形成するものであり、吸収性本体１４は、排泄物吸収用の吸収体２２と、吸収体２２の表面を被覆するように配置された、少なくとも一部が液透過性材料からなるトップシート１８と、吸収体２２の裏面を被覆するように配置されたバックシート２０とを有するものであり、吸収性本体１４は、外装部材１６の少なくとも股下部４に取外し可能な状態で接合されており、吸収性本体１４は、そのバックシート２０側から視認することができるマーキング５８が付されており、外装部材１６を透過して吸収性本体１４のマーキング５８が視認可能に構成されている。なお、図１〜図７に示すパンツ型使い捨ておむつ１においては、吸収性本体１４の長手方向の両端部に、吸収性本体１４と外装部材１６とを取外し可能な状態で接合させるための接合部２３が形成されている。
【００２６】
ここで、図１〜図３は、本発明のパンツ型使い捨ておむつの一の実施形態を示す概略斜視図であり、図１は、本発明のパンツ型使い捨ておむつをその前方から見た状態を示す図であり、図２は、本発明のパンツ型使い捨ておむつをその後方から見た状態を示す図であり、図３は、図２に示すパンツ型使い捨ておむつから、吸収性本体を取外した状態を示す図である。また、図４は、本発明のパンツ型使い捨ておむつの一の実施形態を示す一部切り欠き平面図であり、図１に示すパンツ型使い捨ておむつを展開し、おむつの吸収性本体側から見た状態を示す図である。また、図５は、本発明のパンツ型使い捨ておむつの一の実施形態を示す平面図であり、図１に示すパンツ型使い捨ておむつを展開し、おむつの外側から見た状態を示す図である。なお、図１〜図５に示すパンツ型使い捨ておむつにおいては、吸収性本体として、その両側縁に沿って付設された、一対の吸収性本体用立体ギャザーを省略して示している。また、図６は、本発明のパンツ型使い捨ておむつの一の実施形態を示す概略断面図であり、図６の（ａ）は、図４に示すパンツ型使い捨ておむつをＸ１−Ｘ１’線に沿って切断した断面の例を示す概略断面図であり、図６の（ｂ）は、吸収性本体に一対の吸収性本体用立体ギャザーが付設された場合の断面の例を示す概略断面図である。図７は、本発明のパンツ型使い捨ておむつの一の実施形態を示す概略断面図であり、図７の（ａ）は、図４に示すパンツ型使い捨ておむつをＸ２−Ｘ２’線に沿って切断した断面の例を示す概略断面図であり、図７の（ｂ）は、吸収性本体に一対の吸収性本体用立体ギャザーが付設された場合の断面を示す概略断面図である。
【００２７】
本発明のパンツ型使い捨ておむつは、上記したように、吸収性本体１４が、外装部材１６に取外し可能な状態で接合されているため、おむつ着用時に排泄を行った際に、おむつ全体を交換する必要はなく、吸収性本体１４のみを交換することによって対応することができ、経済的である。また、このように吸収性本体１４のみを交換することができるので、衣服の着脱を伴うパンツ型使い捨ておむつ１（具体的には、外装部材１６）の交換を行う必要がなく、簡便におむつを利用することができる。また、吸収性本体が外装部材に完全に固定された従来のパンツ型使い捨ておむつに尿取りパッド等を併用して用いた場合と比較して、おむつの股下部が厚くならず、着用者の装着感が極めて良好であるとともに、着用者の足の動きが制限され難い。
【００２８】
［１−１］マーキング：
本発明における「マーキング」とは、吸収性本体のバックシート側から視認することができる、例えば、文字、図形、記号、模様、着色等の目印である。なお、このマーキングとしては、着用時点においては、吸収性本体のバックシート側から視認することができず、例えば、着用者が排泄を行った際に、尿等に反応したり溶解したりすることによって、バックシート側から視認することができるようになるマーキング、即ち、着用者の排泄を介護者等の他の人物に知らせるためのサイン（インジケータともいう）であってもよい。
【００２９】
本発明のパンツ型使い捨ておむつにおいては、このマーキングが、（１）おむつの前後の識別するためのもの、（２）おむつに種々のデザインを付与するためのもの、（３）着用者の排泄の有無をおむつの外側から確認するためのもの、のうちの少なくとも一つの特性を有している。
【００３０】
本発明のパンツ型使い捨ておむつは、吸収性本体１４のバックシート２０側から視認することができる自由な図案のマーキング５８、例えば、比較的大きな図案のマーキング５８を付すことができるため視認性に優れている。更に、吸収性本体１４を交換する際には、着用者の趣向に合うマーキング５８が付された交換用の吸収性本体５４を選択して装着することができ、おむつのデザインに対する楽しみを満足させることができる。また、図形等のマーキングを着用者が必要としない場合には、図示は省略するが、交換用の吸収性本体として、マーキングが付されていない無地のものを用いることによって、吸収性本体の交換後以降はマーキングのないパンツ型使い捨ておむつとして用いることができる。なお、図３においては、水玉柄のマーキング５８が付された吸収性本体１４を取外し、チェック柄のマーキング５８が付された交換用の吸収性本体５４を装着する様子を示している。
【００３１】
このように、おむつに種々のデザインを付与するためのマーキングは、吸収性本体を交換することで、おむつのデザインを変更することができる。マーキングの図案については特に制限はなく、バックシート自体に連続柄を施してもよいし、ワンポイント柄等を施してもよい。例えば、ワンポイント柄の場合には、バックシート自体にワンポイント柄を印刷してもよいが、バックシートの外側面に、ワンポイント柄が印刷された別体のシートを貼付してもよい。
【００３２】
おむつに種々のデザインを付与するためのマーキングとしては、例えば、文字、図形、記号、模様、着色等の目印であり、具体的なものとしては、例えば、図３に示すような、水玉柄やチェック柄等の連続柄、また、図示は省略するが、乳幼児用や子供用のおむつに用いられるような、動物、花等の植物、自動車や電車等の乗り物、おもちゃや絵本の登場人物等のイラストなどを挙げることができる。
【００３３】
また、本発明のパンツ型使い捨ておむつにおけるマーキングは、例えば、図８及び図９に示すように、おむつの前後の識別用のマーキング５８であってもよい。吸収性本体の中には、着用者の臀部側、或いは腹側の吸収力を特異的に向上させるため、後側領域又は前側領域の吸収体の面積を大きくしたり、吸収体を構成するパルプや高吸水性ポリマー（ＳＡＰ）を偏在させたりしたもの等も存在する。おむつの前後の識別用のマーキングを付すことにより、吸収性本体自体の前後の識別も行えるため、このような吸収性本体の前後の取り違えを防止するという意味においても有効である。
【００３４】
図８及び図９においては、吸収性本体１４の後端５６側に「うしろ」というマーキング５８が付されており、おむつの前後の識別ができるようになっている。このように構成することによって、例えば、従来のパンツ型使い捨ておむつのように、おむつを廃棄する際に用いる廃棄テープに、「うしろ」等のマーキングを付して前後の識別を行うものと比較して、前後の識別が容易になり、例えば、視力が低下している高齢者等においても、おむつの前後を間違うことなく簡単に着用することができる。更に、外装部材に予め装着されている、「うしろ」というマーキング５８が付された吸収性本体１４は、使用後に取外してしまうために、交換用の吸収性本体として、マーキングが付されていない無地のものや連続柄等のマーキングが付されたがものを用いることによって、「うしろ」等のマーキングのないパンツ型使い捨ておむつとして用いることができ、デザイン的にも違和感のないものとなる。
【００３５】
なお、図８及び図９においては、吸収性本体１４に「うしろ」というマーキング５８が付された場合の例を示しているが、図示は省略するが、吸収性本体の前端側に「まえ」という文字からなるマーキングを付し、吸収性本体の後端側に「うしろ」という文字からなるマーキングを付してもよい。また、吸収性本体の前端側に着用者の前方を示すための矢印からなるマーキングを付して、おむつの前後を識別できるように構成してもよい。
【００３６】
おむつの前後の識別用のマーキングは、文字や矢印等の前後の識別か容易なものであることが好ましい。前後の識別用のマーキングは、外装部材の外側から視認可能であることが必要であり、このマーキングを配置する位置は、吸収性本体のバックシートの外側面、内側面、吸収体の裏面側であればよいが、バックシートの外側面に付与することが好ましい。
【００３７】
このような文字や矢印等のマーキングは、バックシートに予め印刷してもよいが、吸収性本体の製造工程において、インクジェット印刷やフレキソ印刷等の方法によって印刷してもよい。
【００３８】
バックシートに予めマーキングを印刷する場合には、フレキソ印刷やグラビア印刷等の方法によって、カラー印刷を含めた美麗な印刷が可能である。なお、バックシートに予めマーキングを印刷する際には、マーキングが所定の位置に付与されるように、製造上、タイミング合わせを行う必要がある。一方、吸収性本体の製造工程においてマーキングを印刷する場合には、所定の位置を狙っての印刷が容易である。
【００３９】
また、おむつの前後の識別用のマーキングは、吸収性本体のバックシートの外側面に、文字や矢印等のマーキングが付された別体のシートを貼付してもよい。このような方法の場合には、別体のシートに、フレキソ印刷やグラビア印刷等の方法によって、カラー印刷を含めた美麗な印刷が可能である。また、印刷時においては、マーキングの位置合わせを行う必要がないため、製造工程が簡便となる。
【００４０】
また、本発明のパンツ型使い捨ておむつにおいては、マーキングが、着用者の排泄の有無をおむつの外側から確認するためのもの、例えば、排泄物と接触することによりバックシート側から消失するか、又はバックシート側に発色若しくは変色を生じさせる指示薬や着色剤を含むものであってもよい。なお、上記した「発色若しくは変色を生じさせる」の意味は、「無色の状態から色が現れる」、「色が無色に変化する」、「色が別の色に変化する」の全てを含むものである。
【００４１】
このように構成することによって、吸収性本体のみを交換することができるパンツ型使い捨ておむつにおいて、着用者が排泄したことを着用状態のままで介護者等が容易に確認することができ、適切な時機に吸収性本体を交換することができる。
【００４２】
着用者の排泄の有無をおむつの外側から確認するためのマーキングの具体例としては、例えば、（ａ）デザイン等のマーキングを水溶性インクによって印刷し、尿等の排泄物と接触することにより、マーキングを溶解させる方法、（ｂ）ｐＨ変化指示薬、被酸化性指示薬、水分変化指示薬、及び脱水指示薬からなる群より選択される少なくとも一種の指示薬を含んだマーキングを用いる方法を挙げることができる。
【００４３】
上記した（ａ）の方法では、排泄物の水分によってマーキングが滲んだり、排泄物の水分によってバックシート側に溶解した水溶性インクが染み出したりすることによって、排泄の有無を確認することができる。（ｂ）の方法では、指示薬を含んだマーキングの消失、又はマーキングの発色若しくは変色によって排泄の有無を確認することができる。このような方法としては、例えば、特開２００４−１８１１５２号公報に記載された方法を用いることができる。
【００４４】
このような排泄の有無を確認するためのマーキングは、連続柄やワンポイント柄のマーキングであってもよいが、例えば、少なくとも股下部を含む領域に、前身頃側から後身頃側にかけて１本のラインによって構成されたものであってもよいし、例えば、図１０に示すように、複数本、好ましくは、２〜５本のラインによって構成されたものであってもよい。複数本のラインによってマーキングを構成することによって、吸収性本体の幅方向中心部だけでなく、吸収性本体全体をおおよそ網羅することができる。ここで、図１０は、本発明のパンツ型使い捨ておむつの他の実施形態を示す平面図であり、パンツ型使い捨ておむつを展開し、おむつの外側から見た状態を示す図である。図１０においては、排泄の有無を確認するためのマーキング５８が三本配置されている。
【００４５】
上記した（ａ）及び（ｂ）の方法では、マーキングを印刷するインクに水溶性インクや上記指示薬を混在させてマーキングを形成することができる。また、（ｂ）の方法では、ホットメルト等の接着剤に上記指示薬を混在させてマーキングを形成することもできる。また、粉末又は固体状の指示薬を、バックシートと吸収体との間に配置してもよい。
【００４６】
水溶性インクや上記指示薬を混在させたインクを用いてマーキングを印刷する場合には、吸収体を包む親水シートのバックシート側の面に印刷してもよいが、外装部材により近いバックシートに印刷することが好ましい。この場合、マーキングと排泄物とが良好に接触するように、バックシートの内側面にマーキングを印刷することがより好ましい。なお、バックシートが液不透過性の素材でない場合は、バックシートを透過して排泄物が浸漬することが可能なため、バックシートの外側面にマーキングを印刷してもよい。但し、水溶性インクを含んだインクを用いる場合には、水分で溶解したインクが外装部材に付着し、吸収性本体を交換した際に視認性が低下することがあるため、バックシートの内側面に印刷することがより好ましい。
【００４７】
水溶性インクや上記指示薬を混在させたインクを用いてマーキングを印刷する場合には、予めいずれかのシート（例えば、吸収体を包む親水シートやバックシート）にグラビア印刷やフレキソ印刷等の方法で印刷してもよいし、製造工程上でインクジェット印刷等の方法によって印刷してもよい。
【００４８】
また、上記したインクを用いてマーキングを印刷した別体のシートを、バックシートの外側面又は内側面に貼付してもよい。このような別体のシートは、吸収性本体の全面に亘って貼付してもよいし、一部のみに貼付してもよい。好ましくは、排泄がより浸透し易い股下部を含む領域に貼付することが好ましい。
【００４９】
親水性シートやバックシート等に予めマーキングを印刷する場合には、製造ライン上で、位置決めを行う必要のない連続柄である方が製造が容易となり好ましい。一方、マーキングを付した別体のシートを配置する場合には、股下部を含む領域等にタイミングを合わせて配置することも容易であり、また、吸収性本体全体に亘って印刷を行う必要がないため、必要な部位のみの視認性を良好に高めることができる。
【００５０】
また、製造工程上でインクジェット印刷やフレキソ印刷等の方法で印刷する場合においても、股下部を含む所定の領域を狙って印刷することができるため、吸収性本体全体に亘っての連続柄のマーキングであってもよいが、ワンポイント柄であってもよい。
【００５１】
ホットメルト等の接着剤に上記した指示薬を混在させたものを用いてマーキングを形成する場合には、例えば、ビード塗布、スパイラル塗布、カーテン塗布等の塗工方法を挙げることができるが、特に、指示薬による変色が外装部材の外側から視認し易くなるように、塗布する幅や塗布量を調整することが可能なシム塗工が好ましい。
【００５２】
上記指示薬として挙げた、ｐＨ変化指示薬、被酸化性指示薬、水分変化指示薬、及び脱水指示薬は、従来、使い捨ておむつにおいて排泄の有無を確認するために用いられている指示薬を好適に用いることができる。例えば、ｐＨ変化指示薬としては、ｐＨが３〜７で変化するものを好適に用いることができ、例えば、プロモフェノールブルー、メチルオレンジ、プロモクレゾールグリーン、メチルレッド、プロモクレゾールパープル、レザズリン等を挙げることができる。これらのうち、プロモフェノールブルー、プロモクレゾールグリーン、プロモクレゾールパープルを好適に用いることができる。
【００５３】
また、被酸化性指示薬としては、糖酸化酵素、ペルオキシダーなどに反応する被酸化性指示薬を好適に用いることができる。
【００５４】
このようなｐＨ変化指示薬や被酸化性指示薬は、例えば、特開昭５８−１７４６０１号公報、特開平１１−４８５２号公報、特開２００４−８９６１４号公報、特開２００４−３３７３８６号公報、特開２００４−２６１４６６号公報等に開示されている指示薬を好適に用いることができる。
【００５５】
また、上記した水分変化指示薬や脱水指示薬は、水分の量が変化することにより変色する指示薬であり、例えば、特開２００４−５１２４２５号公報に記載されているホットメルト湿り度指示薬、具体的には、例えば、一次ポリマー成分として約１０〜４０質量％のエチレン−アルキルアクリレート−アクリル酸ターポリマー、約２０〜６０質量％の相溶性粘着付与剤、約１５〜６０質量％の界面活性剤、約０．０１〜０．５質量％のｐＨ指示薬、約０〜２０質量％の可塑剤及び約０〜２質量％の安定剤又は抗酸化剤を含む指示薬や、特開２００４−２８５１９１号公報に記載されている、クリスタルバイオレットラクトン、マラカイトグリーンラクトン等の電子供与性呈色化合物がクエン酸、イタコ酸、サリチル酸、サリチル酸亜鉛等の有機酸や有機酸塩である電子受容性顕色化合物と分子接触することによって無色から各呈色化合物固有の色に発色し、水の付着のみによって消色する指示薬を挙げることができる。
【００５６】
また、例えば、特開昭５６−４３４０２号公報や特開平９−２８８４０１号公報に記載されている、排泄の有無を確認するために用いられる指示薬を用いることもできる。
【００５７】
上記したｐＨ変化指示薬や被酸化性指示薬等の指示薬は、親水性物質を含む親水性組成物として構成されていることが好ましい。この親水性組成物中の指示薬の含有量としては、親水性組成物の全量（１００質量％）に対して、０．０１〜５０質量％であることが好ましく、０．０１〜４０質量％であることが更に好ましく、０．０１〜１質量％であることが特に好ましく、０．０１〜０．５質量％であることが最も好ましい。指示薬の含有量が、０．０１質量％未満であると、変色しても色が薄く、外部から確認し難くなることがあり、５０質量％を越えると、親水性組成物の変色前の色が濃すぎて外観が良くなく、更にコスト高になることがある。
【００５８】
このような指示薬を混在させて用いる接着剤としては、ホットメルトを好適に用いることができる。ホットメルトの具体例としては、エチレン−酢酸ビニル、スチレン系ブロックコポリマー、ポリプロピレン及び酢酸ビニル／ビニルピロリドンコポリマーを含むビニルピロリドンポリマーを挙げることができる。なお、ベースポリマーはスルホン化ポリエステルであることが好ましい。
【００５９】
このような接着剤（例えば、ホットメルト）と上記した指示薬とは、ホットメルトが０．００５〜３質量％となるように配合することが好ましい。また、ホットメルトには、そのｐＨを変えるｐＨ調整剤を含んでいてもよい。
【００６０】
このような指示薬を混在させた接着剤の塗布量（塗工量）は、３〜４０ｇ／ｍ２であることが好ましく、５〜２０ｇ／ｍ２であることが更に好ましい。接着剤を塗布する幅は、１．５〜２０ｍｍであることが好ましく、２〜１０ｍｍであることが更に好ましい。また、接着剤を塗布する際には、例えば、少なくとも股下部を含む領域に、前身頃側から後身頃側にかけて１本のラインで塗布してもよいが、複数本、好ましくは、２〜５本のラインで塗布してもよい。このように構成することによって、吸収性本体の幅方中心部だけでなく、吸収性本体全体をおおよそ網羅することができる。
【００６１】
このような指示薬を混在させた接着剤は、吸収体を包む親水シート吸収性面に塗布してもよいが、親水性シートのバックシート側の面（即ち、親水性シートとバックシートの間）に塗布することが好ましい。このように構成することによって、吸収体に吸収させた排泄物により指示薬が反応し易くなるとともに、吸収性本体の中でも、より外装部材側に近い位置に指示薬が配置されるため、視認性を向上させることができる。なお、バックシートの外側、即ち、バックシートと外装部材の間に塗布する方法もあるが、吸収性本体を取外した際に、外装部材側に、指示薬を混在させた接着剤が残ってしまい、新たに配置した吸収性本体における指示薬が確認し難くなることがある。
【００６２】
［１−２］外装部材：
外装部材は、着用者の身体を被包するための装着機能を担う部材であり、具体的には、前身頃、股下部及び後身頃の各部を形成するシート状の部材である。本発明のパンツ型使い捨ておむつを構成する外装部材は、その外側から吸収性本体のマーキングを透過して視認することができるように構成されている。
【００６３】
本発明のパンツ型使い捨ておむつにおいては、着用者の排泄物を吸収し、保持する吸収・保持機能については、専ら吸収性本体が果たすことになる。吸収性本体に漏れ防止のための液不透過性シートが配置されている場合は、外装部材を構成する材料として液不透過性材料を用いる必要はなく、不織布から構成されていてもよい。このような不織布としては、例えば、ポリエチレン、ポリプロピレン、ポリエステル、その他の熱可塑性樹脂からなる合成繊維によって構成された不織布等が主に用いられるが、外装部材の内側面のみ綿不織布などを用いたものであってもよい。但し、吸収性本体に液不透過性材料が用いられていない場合、また、吸収性本体に液不透過性材料が用いられている場合であっても、外装部材の全体又は一部に液不透過性材料を用いてもよい。
【００６４】
本発明のパンツ型使い捨ておむつの外装部材は、酸化チタンの含有率が１質量％以下の不織布からなるものであることが好ましい。このように酸化チタンの含有率を低くすることにより、不織布の光透過性が高まり、視認性を向上させることができる。但し、酸化チタンの含有率が低くなり過ぎると、不織布を構成する糸が透明になり過ぎて、不織布生産時の糸を確認しづらくなり、糸切れの発見が遅れることになる。そのため、製造した不織布に糸切れの箇所が多く含まれることになり、その結果、不織布の地合や風合いが悪くなることがある。
【００６５】
また、外装部材は、ウエスト周り伸縮材や脚周り伸縮材等を挟み込んだ状態で固定するために、２枚以上の不織布を貼り合わせて構成されることが多い。例えば、図１〜図７に示すパンツ型使い捨ておむつ１の外装部材１６は、２枚の不織布１６ａ，１６ｂ、例えば、アウターカバー（不織布１６ａ）とインナーカバー（不織布１６ｂ）とを貼り合わせて、前身頃２、股下部４及び後身頃６の各部を構成し、それらの不織布１６ａ，１６ｂの間に脚周り伸縮材４０、ウエスト周り伸縮材４２及び腹周り伸縮材４４を挟み込み固定した例である。
【００６６】
また、図１〜図７に示すパンツ型使い捨ておむつ１は、所謂、ブリーフ型のおむつ（パンツ型使い捨ておむつ）であるが、例えば、図１１及び図１２に示すように、外装部材１６が、前身頃２、股下部４及び後身頃６の各部から構成され、前身頃２と後身頃６の対応する側縁部同士が接合されて（側縁接合部８）、一つのウエスト周り開口部１０及び一対の脚周り開口部１２（１２ａ，１２ｂ）が形成され、一対の脚周り開口部１２が、前身頃２及び後身頃６の下端が股下部４より下方まで延出されて脚周り被覆部１３が形成された、所謂、ボクサー型のおむつ（パンツ型使い捨ておむつ１００，１１０）であってもよい。
【００６７】
ここで、図１１は、本発明のパンツ型使い捨ておむつの他の実施形態を示す概略斜視図であり、本発明のパンツ型使い捨ておむつをその前方から見た状態を示す図であり、図１２は、本発明のパンツ型使い捨ておむつの他の実施形態を示す概略斜視図であり、本発明のパンツ型使い捨ておむつをその前方から見た状態を示す図である。
【００６８】
また、本発明のパンツ型使い捨ておむつにおいては、図１３及び図１４に示すように、外装部材１６が、前身頃２、股下部４及び後身頃６の各部を形成する不織布からなる外装体１７と、外装体１７の内面に配置された液不透過性材料からなる液不透過性シート２５とから構成され、吸収性本体１４は、液不透過性シート２５に取外し可能な状態で接合されていてもよい。なお、液不透過性シート２５は、外装体１７から取外しができないように固定されている。また、この例では、前身頃２側及び後身頃６側の端縁に、液不透過性シート２５を固定するための不織布１６ｃ（抑えシート）を更に貼り合わせ、液不透過性シート２５のそれぞれの端部を固定している。なお、このような液不透過性シート２５が吸収性本体１４のマーキング５８に重なって配置される場合には、マーキング５８を外装部材１６の外側から視認することができるような材料、例えば、光透過性の高い透明又は半透明の液不透過性材料からなる液不透過性シート２５を用いることが好ましい。
【００６９】
ここで、図１３は、本発明のパンツ型使い捨ておむつの他の実施形態を展開した一部切り欠き平面図であり、図１４は、図１３に示すパンツ型使い捨ておむつをＸ３−Ｘ３’線に沿って切断した断面を示す概略断面図である。なお、符号５１で示す塗りつぶした三角印は、ぞれぞれの部材が、取外しができないように固定された固定部を示す。
【００７０】
このように構成することによって、仮に、吸収性本体から排泄物が漏れ出したり、その表面を伝って尿が拡散したとしても、この液不透過性シートによって、不織布からなる外装体への排泄物の染み込みを有効に防止することができる。特に、このような液不透過性シートを配置することにより、例えば、吸収性本体を構成するバックシートが、必ずしも液不透過性材料から構成されたものである必要がなくなり、例えば、撥水性材料からなるバックシートを用いることも可能となる。
【００７１】
この液不透過性シートを構成する液不透過性材料としては、例えば、ポリエチレン等の樹脂からなる液不透過性フィルム等を挙げることができ、中でも、微多孔性ポリエチレンフィルムを用いることが好ましい。この微多孔性ポリエチレンフィルムは、０．１〜数μｍの微細な孔が多数形成されており、液不透過性ではあるが透湿性を有するため、おむつ内部の蒸れを防止することができるという利点がある。
【００７２】
図１３及び図１４においては、外装部材１６を構成する外装体１７の内面（即ち、不織布１６ｂの表面）に、吸収性本体１４と略同程度の大きさの液不透過性シート２５が配設され、この液不透過性シート２５の表面に吸収性本体１４が取外し可能な状態で接合された場合の例を示している。なお、液不透過性シート２５の大きさは、吸収性本体１４の大きさよりも大きなものであってもよい。なお、外装部材に配置された液不透過性シートが外装部材全体に亘って配置されていてもよいが、吸収性本体の略下部にのみ配置されていてもよい。吸収性本体の略下部にのみ配置されている場合には、パンツ型使い捨ておむつの通気性が高くなり、着用者が快適に使用することができる。図１３及び図１４においては、外装部材に配置された液不透過性シートが、外装部材の上部である内側面に配置されているが、外装部材を構成するシート間に配置してもよい。このように構成することによって、インナーカバー、アウターカバーの他に液不透過性シートの長手方向の両端部を抑える抑えシートを別途配置する必要がなくなる。
【００７３】
また、本発明のパンツ型使い捨ておむつの外装部材は、少なくとも股下部の一対の脚周り開口部の間の領域に、一対の外装部材用立体ギャザーが付設されたものであってもよい。なお、吸収性本体は、この一対の外装部材用立体ギャザーの間の領域に、取外し可能に接合されている。
【００７４】
立体ギャザーは、着用者の排泄した尿の横漏れを防止するための部材であり、立体的に起立可能なように構成された防漏壁である。このように、少なくとも股下部の一対の脚周り開口部の間の領域に、一対の外装部材用立体ギャザーが付設されていることによって、トップシートの上に尿が排泄され、トップシートを伝って尿が拡散してしまった場合でも、この外装部材用立体ギャザーが防波堤となり、おむつの脚周り開口部等からの漏れ（いわゆる「横漏れ」）を有効に防止することができる。
【００７５】
外装部材用立体ギャザーの構成は、従来の使い捨ておむつ、その他の吸収性物品に使用される立体ギャザーの構成を採用することができる。例えば、撥水性のシート材の一部に伸縮材（立体ギャザー伸縮材）を配置し、その立体ギャザー伸縮材によってシート材にギャザー（襞）を形成したもの等を好適に用いることができる。
【００７６】
この外装部材用立体ギャザーは、股下部からの漏れを防止するため、少なくとも股下部の一対の脚周り開口部の間に形成されていればよいが、前身頃や後身頃に形成されていてもよい。例えば、図１５及び図１６に示すパンツ型使い捨ておむつ１は、おむつの長手方向に沿って、股下部４から前身頃２と後身頃６の双方にかけて連続的に、一対の外装部材用立体ギャザー２６（２６ａ，２６ｂ）が付設された例を示すものである。なお、この例では、外装部材用立体ギャザー２６ａ，２６ｂを構成する立体ギャザー形成シート３２ａ，３２ｂの端部（立体ギャザー２６ａ，２６ｂの上端縁に相当する側の端部）を折り返し、その折り返し部分に各１本の立体ギャザー伸縮材３６ａ，３６ｂを挟み込むように配置している。また、外装部材用立体ギャザーは、少なくとも一対形成する必要があるが、二対以上形成してもよい。なお、図面においては、各１本の立体ギャザー伸縮材３６ａ，３６ｂを挟み込んでいるが、各１本に限らず、複数本配置してもよい。なお、図１５においては、外装部材１６における前身頃２側及び後身頃６側の端縁に、外装部材用立体ギャザー２６ａ，２６ｂの端部を固定するための不織布１６ｃ（抑えシート）を更に貼り合わせ、外装部材用立体ギャザー２６ａ，２６ｂのそれぞれの端部を固定している。ここで、図１５は、本発明のパンツ型使い捨ておむつの他の実施形態を展開した一部切り欠き平面図であり、図１６は、図１５に示すパンツ型使い捨ておむつをＸ４−Ｘ４’線に沿って切断した断面を示す概略断面図である。
【００７７】
この外装部材用立体ギャザーは、おむつの内側に向かって傾倒する内倒しギャザーであってもよいし、おむつの外側に向かって傾倒する外倒しギャザーであってもよく、Ｃ折りやＺ折りなどの外装部材用立体ギャザーの起立部から自由端部までの間に折り返し部を設けたものであってもよい。本発明のパンツ型使い捨ておむつにおいては、外装部材用立体ギャザーの少なくとも一部が、おむつの内側に向かって傾倒する内倒しギャザーであることが好ましい。この内倒しギャザーは、防漏性において特に優れている。
【００７８】
また、外装部材用立体ギャザーは、立体ギャザーを形成しているシート及び／又は弾性部材の一部が着色されるなどして、その少なくとも一部が着色されたものであることが好ましい。外装部材に外装部材用立体ギャザーが付設されたものである場合には、一対の外装部材用立体ギャザーの間の領域に、吸収性本体が取外し可能に接合されるため、上記したように外装部材用立体ギャザーの少なくとも一部が着色されたものとすることにより、吸収性本体を着脱するための領域が確認し易くなり、吸収性本体の剥離や装着、特に適切な位置への装着が容易になる。
【００７９】
［１−３］吸収性本体：
本発明のパンツ型使い捨ておむつに用いられる吸収性本体は、排泄物吸収用の吸収体と、吸収体の表面を被覆するように配置された、少なくとも一部が液透過性材料からなるトップシートと、吸収体の裏面を被覆するように配置されたバックシートとを有するものである。例えば、図１〜図７に示すパンツ型使い捨ておむつ１は、トップシート１８とバックシート２０の間に吸収体２２を挟み込み、吸収体２２の周縁部を封着することによって、トップシート１８とバックシート２０との間に吸収体２２が介装された構造の吸収性本体１４を構成した例である。
【００８０】
本発明のパンツ型使い捨ておむつにおいては、この吸収性本体が、外装部材の少なくとも股下部に取外し可能に接合されており、吸収性本体のバックシート側に、外装部材を透過して視認可能なマーキングが付されている。これにより、おむつに付与されたマーキングの視認性に優れており、更に、吸収性本体を交換することによって、このマーキングの図案を変更することができ、おむつのデザインに対する楽しみを満足させることができる。また、おむつ着用時に排泄を行った際に、おむつ全体を交換する必要はなく、吸収性本体のみを交換することによって対応することができ、経済的であるとともに、衣服の着脱を伴うパンツ型使い捨ておむつの交換を行う必要がないため、簡便におむつを利用することができる。
【００８１】
吸収性本体は、少なくともおむつの股下部をカバーするサイズに構成される。但し、漏れ防止の効果を確実なものとするため、股下部のみならず前身頃や後身頃の一部をもカバーする大きさに構成することが好ましい。
【００８２】
また、吸収性本体は、その両側縁に沿って、一対の吸収性本体用立体ギャザーが付設されたものであってもよい。例えば、図６の（ｂ）及び図７の（ｂ）に示すように、トップシート１８やバックシート２０とは全く別個のシート材（吸収性本体用立体ギャザー形成シート３３ａ，３３ｂ）を、吸収性本体１４の両側縁部に貼り合わせ、立体的に起立可能な構造とすることにより、一対の吸収性本体用立体ギャザー２７ａ，２７ｂを付設した例である。この例では、吸収性本体用立体ギャザー形成シート３３ａ，３３ｂの端部（吸収性本体用立体ギャザー２７ａ，２７ｂの上端縁に相当する側の端部）を折り返し、その折り返し部分に各１本の吸収性本体用立体ギャザー伸縮材３８ａ，３８ｂを挟み込むように配置している。また、吸収性本体用立体ギャザーは、一対に限定されることはなく、二対以上形成されたものであってもよい。例えば、図６の（ｂ）において、吸収性本体用立体ギャザー形成シート３３ａ，３３ｂがバックシート２０とともに吸収性本体用立体ギャザー２７ａ，２７ｂの外側にて起立している部位に、別の吸収性本体用立体ギャザー伸縮材３９ａ，３９ｂを配置して、更にもう一対の吸収性本体用立体ギャザー２８（２８ａ，２８ｂ）を形成してもよい。
【００８３】
なお、吸収性本体の両側縁（両サイド）は、トップシートとバックシートが延出して両シートが貼り合わされていてもよいし、吸収性本体の両側縁に延出したシートを形成しなくともよい。また、吸収性本体の両側縁からシートが延出している場合において、この両シートの幅が同一の大きさであってもよいし、異なっていてもよい。好ましくは、吸収性本体をコンパクトにするために、吸収体の広幅部分に合わせて両側縁のシートを折り返して吸収性を包み込む形を取る。図６の（ａ）及び図７（ａ）においては、トップシート１８の下側にバックシート２０の側縁が折り返されているが、例えば、図示は省略するが、トップシートの上側に折り返していてもよい。なお、吸収体が吸収した排泄物の沁み出しを防止するために、バックシートをトップシートの上側に折り返して吸収体を包み込む方法が好ましいが、例えば、バックシートがフィルムから形成されたものである場合には、フィルムが直接肌に接触してしまわないように、トップシートの下側にバックシートの側縁が折り返されて、吸収性本体の上面がトップシートによって構成されていることが好ましい。
【００８４】
［１−３ａ］吸収体：
吸収体は、着用者の尿を吸収し、保持するための部材である。吸収体は、着用者の尿や体液を吸収し保持する必要から、吸収性材料によって構成される。
【００８５】
吸収体を構成する吸収性材料としては、使い捨ておむつ、その他の吸収性物品に通常使用される従来公知の吸収性材料、例えば、フラッフパルプ、高吸水性ポリマー（Ｓｕｐｅｒ  Ａｂｓｏｒｂｅｎｔ  Ｐｏｌｙｍｅｒ；以下、「ＳＡＰ」と記す）、親水性シート等を挙げることができる。フラッフパルプとしては木材パルプや非木材パルプを綿状に解繊したものを、ＳＡＰとしてはポリアクリル酸ナトリウムを、親水性シートとしてはティシュ、吸収紙、親水化処理を行った不織布を用いることが好ましい。また、吸収体の型崩れ対策として熱融着繊維等の合成繊維を含んでいてもよい。
【００８６】
これらの吸収性材料は、通常、単層ないしは複層のマット状として用いられる。この際、前記の吸収性材料のうち一種を単独で用いてもよいし、２種以上を併用してもよい。中でも、フラッフパルプ１００質量部に対して、１０〜５００質量部程度のＳＡＰを併用したものが好ましい。この際、ＳＡＰはフラッフパルプの各マット中に均一に混合されていてもよいし、複層のフラッフパルプの層間に層状に配置されていてもよい。
【００８７】
吸収体は、トップシートとバックシートの間の少なくとも一部に介装されることが好ましい。通常、吸収体は、トップシートとバックシートの間に挟み込まれ、その周縁部が封着されることによって、トップシートとバックシートとの間に介装される。従って、吸収体の周縁部にはトップシートとバックシートの間に吸収体が介装されていないフラップ部が形成されているか、前記トップシート及び／又はバックシートにより吸収体縁部が包まれている。
【００８８】
吸収体は、その全体が親水性シートによって包み込まれていることが好ましい。このような構成は、吸収体からＳＡＰが漏洩することを防止し、吸収体に形状安定性を付与することができるという利点がある。
【００８９】
吸収体の形状については特に制限はないが、従来の使い捨ておむつ、その他の吸収性物品において使用される形状、例えば、矩形状、砂時計型、ひょうたん型、Ｔ字型等を挙げることができる。
【００９０】
［１−３ｂ］トップシート：
トップシートは、吸収体の表面（おむつの装着時において着用者の肌側に位置する面）を被覆するように配置されるシートである。トップシートは、その裏面側に配置された吸収体に、着用者の尿を吸収させる必要から、その少なくとも一部（全部ないし一部）が液透過性材料により構成される。
【００９１】
トップシートを構成する液透過性材料としては、例えば、織布、不織布、多孔性フィルム等を挙げることができる。中でも、ポリプロピレン、ポリエチレン、ポリエステル、ナイロン等の熱可塑性樹脂からなる不織布に親水化処理を施したものを用いることが好ましい。トップシートは単一のシート材によって構成されていてもよいが、複数のシート材によって構成されていてもよい。
【００９２】
［１−３ｃ］バックシート：
バックシートは、吸収体の裏面（おむつの装着時において着用者の着衣側に位置する面）を被覆するように配置されるシートである。
【００９３】
本発明のパンツ型使い捨ておむつにおいては、上記したバックシートは、液不透過性材料又は撥水性材料からなるものであることが好ましい。
【００９４】
バックシートを構成する液不透過性材料としては、例えば、ポリエチレン等の樹脂からなる液不透過性フィルム等を挙げることができ、中でも、微多孔性ポリエチレンフィルムを用いることが好ましい。この微多孔性ポリエチレンフィルムは、０．１〜数μｍの微細な孔が多数形成されており、液不透過性ではあるが透湿性を有するため、おむつ内部の蒸れを防止することができるという利点がある。
【００９５】
また、バックシートを構成する撥水性材料としては、例えば、スパンボンドやカードエンボス等の不織布を用いてもよいが、耐水圧が高いという理由から、ＳＭＳ（スパンボンド／メルトブロー／スパンボンド）、ＳＭＭＳ（スパンボンド／メルトブロー／メルトブロー／スパンボンド）、メルトブローシート等の不織布を挙げることができる。
【００９６】
また、吸収性本体に付されたマーキングが、着用者の排泄を介護者等の他の人物に知らせるためのサイン（インジケータ）である場合には、バックシートとして、このサインが良好に表示されるような材料を選択することが好ましい。具体的には、マーキングとして用いる指示薬の種類によっても異なるが、指示薬の変色又は発色は、指示薬と尿等とが反応することによって生じたり、尿等の水分に指示薬が溶解することによって生じたりするため、バックシートの少なくともマーキングが現れる部分が光透過性の材料によって構成されていることが好ましい。即ち、上記した指示薬の変色又は発色は、バックシートよりも吸収体側にて生じることがあるため、指示薬による変色又は発色にて生じたマーキングが、バックシートを透過して視認できるようにする。
【００９７】
このようなバックシートを構成する光透過性の材料としては、例えば、酸化チタンの含有率が１質量％以下の不織布等を用いることができる。また、バックシートを液不透過性のものとする場合には、例えば、非透湿性の光透過性の高い透明又は半透明のフィルムを使用したり、又は、透湿性のフィルムであっても、無機充填材の含有量を少なくしたり、フィルムの製造時に延伸をあまり行わずに用いたり、延伸後のフィルムであっても部分的に熱によって再融解させて形成されていた微孔を塞いで光透過性を高める等の方法によって形成されたフィルムを使用することができる。このようなフィルムは、例えば、疎水性の熱可塑性樹脂と、炭酸カルシウム等からなる微細な無機フィラー又はこの樹脂と相溶性のない有機高分子等とを溶融混練してフィルムを形成し、このフィルムを一軸又は二軸延伸して得ることができる。熱可塑性樹脂としては、例えば、ポリオレフィンを挙げることができる。ポリオレフィンとしては高〜低密度ポリエチレン、線状低密度ポリエチレン、ポリプロピレン、ポリブテン等を挙げることができ、これらを単独又は混合して使用することができる。
【００９８】
［１−４］接合部：
本発明のパンツ型使い捨ておむつは、吸収性本体が、外装部材の少なくとも股下部に取外し可能な状態で接合されており、吸収性本体の少なくとも一部に、吸収性本体と外装部材との接合部が形成されている。図１〜図７のパンツ型使い捨ておむつ１においては、矩形状の吸収性本体１４の長手方向の両端部に、吸収性本体１４と外装部材１６との接合部２３が形成された例を示している。このような位置に接合部を形成することにより、パンツ型使い捨ておむつを装着する際に、吸収性本体が外装部材から剥がれ難くなり、良好な装着感を実現することができる。なお、このような接合部が、マーキングに掛かる場合には、視認性を低下させないように、光透過性の高い材料からなる接合部を形成することが好ましい。
【００９９】
本発明のパンツ型使い捨ておむつにおける接合部としては、吸収性本体を外装部材から取り外すことができるような粘着剤層によって構成されたものを挙げることができる。この粘着剤層は、外装部材側に配置されたものであってもよいし、吸収性本体側に配置されたものであってもよい。このような粘着剤層を用いることにより、吸収性本体が外装部材に密着して接合されるため、外装部材を透過して吸収性本体のマーキングがよりはっきりと見えるようになる。
【０１００】
このような粘着剤層としては、使用済みの吸収性本体を外装部材から少なくとも取り外すことができるように構成されていればよい。即ち、新規のパンツ型使い捨ておむつを使用する際には、吸収性本体は予め外装部材に装着された状態であるため、使用済みの吸収性本体を取外した後には、この吸収性本体を再び外装部材に装着することは極めて稀であり、通常はそのまま廃棄される。このため、上記した粘着剤層は、一度、吸収性本体と外装部材とを接着させた後は、剥離は可能であるが再接着が不可能な粘着剤層であってもよい。
【０１０１】
このような粘着剤層は、例えば、従来のパンツ型使い捨ておむつにおいて、吸収性本体を固定するための粘着剤の粘着力を、吸収性本体を固定する領域のみ弱く、例えば、仮止めの状態とすることによって形成することができる。
【０１０２】
また、本発明のパンツ型使い捨ておむつにおいては、接合部として、吸収性本体を外装部材に機械的結合させることが可能な結合部材を用いてもよい。このような結合部材としては、例えば、メカニカルファスナーのフック材、又は前記フック材と結合可能なループ材もしくは繊維状の表面を有する素材からなるシート材等を挙げることができる。
【０１０３】
上記した「メカニカルファスナー（面状ファスナーとも称される）」とは、機械的結合を用いた面状ファスナーであり、例えば、表面に多数の突起（鉤状、きのこ状、錨状等）が形成された凸部材（フック材）と、表面にループ状の繊維が配置された凹部材（ループ材）とを組み合わせたもの等が用いられることが多い。このメカニカルファスナーは、ループ材の表面にフック材を重ね合わせ、フック材の多数の突起をループ材の表面に係合させることにより、両部材を取外し可能な状態に、且つ、強固に固着させることができるものである。
【０１０４】
また、メカニカルファスナーのフック材は、これと対応するメカニカルファスナーのループ材以外にも、織布、不織布、フェルト、パイル等の繊維状の表面を有する素材にも係合させることが可能であるので、メカニカルファスナーのループ材に代えて、フック材と結合可能な繊維状の表面を有する素材からなるシート材を結合部材として用いることもできる。なお、本発明のパンツ型使い捨ておむつにおける接合部は、全てが同一の接合手段によって接合されたものであってもよいが、複数の接合手段によって接合されたものが混在していてもよい。即ち、接合部全体を剥離可能な接着剤によって接合していてもよいが、接合部の一部が再剥離可能な接着剤や機械的接合手段を用いたものであってもよい。
【０１０５】
外装部材に新たに装着する吸収性本体には、外装部材に接合するための手段を設ける必要があり、接合手段は粘着剤層を設けたものであってもよいが、機械的接合手段であってもよい。また、本発明のパンツ型使い捨ておむつに予め装着されている吸収性本体の接合部における接合手段と、交換用の吸収性本体の外装部材への接合手段とが異なっていてもよい。例えば、外装部材に予め配置されている吸収性本体は、吸収性本体を外装部材に着用者が装着するという行為が必要なく、取外しのみに特化した接合手段でよいため、パンツ型使い捨ておむつの製造が容易で、機械的接合手段等よりも安価である接着剤を用いることができ、コスト面において有利である。一方、取り外された吸収性本体に替わって新たに配置する交換用の吸収性本体は、外装部材に対して、装着と取外しの両方の行為に対応する必要がある。このため、交換用の吸収性本体は、装着時に体や衣類等の余計な箇所に貼着するような粘着剤よりも、余計な箇所に接合し難い機械的接合手段を配置したものであることが好ましい。
【０１０６】
なお、これまでに説明した本発明のパンツ型使い捨ておむつの接合部は、吸収性本体の裏面（即ち、吸収性本体のバックシート側の面）と、外装部材とを接合させるように構成されたものであるが、例えば、吸収性本体の表面（即ち、吸収性本体のトップシート側の面）の長手方向端部と、外装部材とを接合させるように構成されたものであってもよい。
【０１０７】
［１−５］各種伸縮材：
パンツ型使い捨ておむつにおいては、脚周り伸縮材を配置し、ウエスト周り伸縮材を配置することが一般的であり、更に腹周り伸縮材を配置することが好ましい。
【０１０８】
脚周り伸縮材は、脚周り開口部に沿って配置される伸縮材である。この脚周り伸縮材を配置することによって、脚周り開口部に伸縮性に富むギャザー（レグギャザー）を形成することができる。従って、脚周りに隙間が形成され難くなり、脚周り開口部からの尿漏れを効果的に防止することができる。
【０１０９】
ウエスト周り伸縮材は、ウエスト周り開口部に沿って配置される伸縮材である。ウエスト周り伸縮材を配置することによって、ウエスト開口部に伸縮性に富むギャザー（ウエストギャザー）を形成することができる。このウエストギャザーにより、ウエスト周りに隙間が形成され難くなり、ウエスト周りからの尿漏れを防止することができる他、着用者へのおむつのフィット性が良好となり、おむつのずり下がりが防止される。
【０１１０】
腹周り伸縮材は、ウエスト周り開口部と脚周り開口部との間の部分（即ち、着用者の腹周りに相当する部分）に配置される伸縮材である。腹周り伸縮材を配置することによって、着用者の腹周りに伸縮性に富むタミーギャザーを形成することができる。このタミーギャザーは、ウエストギャザーと相俟って、おむつのフィット性やずり下がり防止効果を一層優れたものとすることができる。
【０１１１】
なお、図１〜図３に示すパンツ型使い捨ておむつ１は、脚周り開口部１２ａ，１２ｂの周縁には複数本の脚周り伸縮材４０を配置し、ウエスト周り開口部１０の周縁にはウエスト周り開口部１０を取り囲むように複数本のウエスト周り伸縮材４２を配置し、更に、ウエスト周り開口部１０と脚周り開口部１２ａ，１２ｂとの間の部分（即ち、着用者の腹周りに相当する部分）には、着用者の腹周りを取り囲むように複数本の腹周り伸縮材４４を配置した例である。
【０１１２】
なお、図４においては、脚周り伸縮材４０は、前身頃２と後身頃６とにそれぞれ配置され、股下部４の脚周り開口部近傍で二度交差することで、脚周り開口部に連続した脚周りギャザーを形成しているが、必ずしも、前身頃２と後身頃６とに配置された脚周り伸縮材４０が股下部４で交差する必要はない。また、股下部４の領域を横切る脚周り伸縮材４０は、少なくとも一部が切断されて、非連続になっていることが好ましい。股下部４０に伸長状態で脚周り伸縮材４０が横切って配置されていると、吸収性本体１４を取外した際に、股下部４が縮こまってしまい、新たな吸収性本体を配置し難くなることがある。
【０１１３】
これらの伸縮材については、既に述べた開口部伸縮材と同様の構成を採用することができる。そして、ギャザーの収縮の程度等を勘案した上で、構成材料、その材料の伸長率、固定時の伸長状態等を決定すればよい。
【０１１４】
また、本発明のパンツ型使い捨ておむつは、図１７及び図１８に示すように、外装部材１６又は吸収性本体１４は、少なくとも股下部４の一対の脚周り開口部１２ａ，１２ｂ（図１参照）の間の領域に、伸縮性素材からなる伸縮材４８（以下、「股下部伸縮材」ということがある）が付設されたものであり、この伸縮材４８は、前身頃２側から後身頃６側にかけて伸長状態で付設されているものであってもよい。このように構成することによって、おむつの股下部４に伸縮性を付与することができ、股下部４の装着感を更に向上させることができる。このような伸縮材としては、上記したギャザーに用いられる伸縮材と同様の伸縮性素材を好適に用いることができる。また、この伸縮材の伸長率については特に制限はないが、例えば、１２０％〜４５０％であることが好ましく、２００％〜３５０％であることが更に好ましい。
【０１１５】
ここで、図１７は、本発明のパンツ型使い捨ておむつの更に他の実施形態を展開した一部切り欠き平面図であり、図１８は、図１７に示すパンツ型使い捨ておむつをＸ５−Ｘ５’線に沿って切断した断面の例を示す概略断面図である。図１８においては、外装部材１６が、外装体１７に２枚のシート４７（４７ａ，４７ｂ）が配置されており、この２枚のシート（４７ａ，４７ｂ）の間に伸縮材４８が付設されている。
【０１１６】
また、本発明のパンツ型使い捨ておむつにおいては、図１９に示すように、上記した伸縮性素材からなる伸縮材４８が、吸収性本体１４側に付設されていてもよい。ここで、図１９は、本発明のパンツ型使い捨ておむつの更に他の実施形態における概略断面図であり、股下部伸縮材４８が、吸収性本体１４側に付設されている場合の例を示している。
【０１１７】
また、本発明のパンツ型使い捨ておむつにおいては、図２０のように、吸収性本体１４に吸収性本体用立体ギャザー２７（２７ａ，２７ｂ）を形成することが、漏れ防止効果を高める上でも好ましい。このような吸収性本体用立体ギャザー２７を形成する場合には、伸長状態の吸収性本体用立体ギャザー伸縮材３８ａ，３８ｂを挟み込むように撥水性のサイドシートなどを配置して吸収性本体用立体ギャザー２７を形成する。この吸収性本体用立体ギャザー２７を形成したサイドシートの連続体（サイドシート連続体）をトップシートの連続体（トップシート連続体）の両サイドに配置して接合した上で、間欠的に吸収体が配置されたバックシートの連続体（バックシート連続体）の上面に配置して貼り合わせる。この際、図２０に示すように、更に吸収性本体１４の端部に第二の吸収性本体用立体ギャザー２８（２８ａ，２８ｂ）を形成してもよい。具体的には、サイドシートとバックシートとの間にさらに伸長状態の立体ギャザー伸縮材３９ａ，３９ｂを配置して、サイドシート及び／又はバックシートで挟み込んで、吸収性本体１４自体に第二の吸収性本体用立体ギャザー２８を形成する。ここで、図２０は、本発明のパンツ型使い捨ておむつの更に他の実施形態における概略断面図であり、外装部材１６に外装部材用立体ギャザー２６が付設され、更に、吸収性本体１４には吸収性本体用立体ギャザー２７と第二の吸収性本体用立体ギャザー２８とが付設された場合の例を示している。
【０１１８】
また、例えば、図１８に示すように、外装部材に股下部伸縮材を付設する場合には、吸収性本体の連続体（吸収性本体連続体）を形成する際に、バックシートの裏面側に更に２枚のシートを連続して配置し、その連続した両シートの間に連続して弾性部材を伸長状態で配置、固定し、吸収性本体連続体を切断し、個々の吸収性本体とすることで、各々の吸収性本体の股下部に容易に股下部伸縮材を配置することができる。この際、バックシートの裏面に配置する２枚のシートと、バックシートとを剥離可能に接合することで、股下部伸縮材は吸収性本体が取り外された後も、外装部材に残すことができる。この２枚のシートのうち、上面側（バックシート側）のシートは、メカニカルファスニングシステムによる凹材となる素材を用いてもよい。また、２枚のシートのうち、下面側（外装部材側）のシートは、液不透過性シートを用いてもよい。
【０１１９】
一方、図１９に示すように、吸収性本体とともに股下部伸縮材が取り外されるように構成する場合には、股下部伸縮材をトップシートとバックシートの間に挟み込んでもよいし、バックシートの裏面に更にシートを配置して、両シート間に股下部伸縮材を配置してもよい。
【０１２０】
［２］本発明のパンツ型使い捨ておむつの製造方法：
以下、本発明のパンツ型使い捨ておむつを製造する方法について、図１５に示す、股下部４から前身頃２と後身頃６の双方にかけて連続的に、一対の外装部材用立体ギャザー２６（２６ａ，２６ｂ）が付設されたパンツ型使い捨ておむつ１の製造方法を例に挙げて説明する。なお、この製造方法においては、図８及び図９に示すような、おむつの前後の識別用の「うしろ」という文字のマーキングを付す場合について説明する。
【０１２１】
［２−１］吸収性本体の製造：
図２２に示すように、バックシート２０の表面に、親水性シートに包まれた吸収体２２を配置し、更にその表面にトップシート１８を配置する。次いで、吸収体２２の周縁部をトップシート１８とバックシート２０とで挟み込むように封着することによって吸収性本体１４を得る。なお、図２１に示す製造方法においては、バックシート２０及びトップシート１８として各長尺シート材を用い、各長尺シート材をローラーから連続的に送出する方法・装置を採用した例を示している。なお、図示は省略するが、吸収性本体のマーキングが、着用者の排泄を介護者等の他の人物に知らせるためのサイン（インジケータ）である場合には、これまでに説明したような指示薬を、バックシートと吸収体との間に配置してもよい。
【０１２２】
［２−２］外装部材用立体ギャザーの製造：
シート材３２ａ（３２ｂ）の一方の端部を折り返し、その折り返し部分に、２本の立体ギャザー伸縮材３６ａ（３６ｂ）を挟み込んだ状態で貼り合わせることによって、立外装部材用体ギャザー２６ａ（２６ｂ）を得る。図２１に示す製造方法においては、シート材３２ａ（３２ｂ）として各長尺シート材を用い、各長尺シート材をローラーから連続的に送出する方法・装置を採用した例を示している。
【０１２３】
［２−３］吸収性本体への立体ギャザーの付設：
図２１に示すように、吸収性本体１４の側縁、即ち、トップシート１８とバックシート２０との貼り合わせ部分を外側から包み込むように、連続した長尺状の外装部材用立体ギャザー２６ａ，２６ｂを貼り合わせる。この際、外装部材用立体ギャザー２６ａ，２６ｂは、吸収性本体１４の側縁に仮止めの状態で貼り合わせておき、外装部材１６に固定した際に、吸収性本体１４のみを取り外せるようにしておく。その後、外装部材用立体ギャザー２６ａ，２６ｂが付設された吸収性本体１４を所定の大きさに切断する。
【０１２４】
［２−４］マーキングの付設：
次に、得られた吸収性本体のバックシート側の面にマーキングを付設する。具体的には、図２２に示すように、吸収性本体１４のバックシート側の面を上にして、その表面の後端側に、インク等を用いてインクジェット印刷やフレキソ印刷等の方法によって、「うしろ」という文字からなるマーキング５８を印刷する。なお、マーキングを付設する方法はこれに限定されることはなく、これまでに説明した方法によって付設することができる。例えば、水溶性のインクを用いた場合には、予めバックシートに印刷してもよいし、吸収性本体にインクジェット等の方法によって印刷してもよいし、マーキングを付与した別体のシートを貼付してもよい。また、変色する指示薬等を含んだものを用いる場合には、吸収性本体を製造する工程において、バックシート等に塗布してマーキングを付与してもよい。
【０１２５】
［２−５］パンツ型使い捨ておむつの製造：
外装部材は、図２３に示すように、長尺状の不織布４９ａ，４９ｂを２枚用意し、このうちの１枚の不織布４９ａの表面に、ウエスト周り伸縮材４２、腹周り伸縮材４４及び脚周り伸縮材４０を配置し接着固定する。
【０１２６】
なお、図２３に示す製造方法においては、２枚の長尺状の不織布４９を重ね合わせて積層し、その中心軸に沿って折り返すことにより、折り返し線を含む領域がおむつの股下部４となり、折り重ねられた不織布４９の側縁部がおむつのウエスト周り開口部１０となる。このため、伸縮材を配置する際には、ウエスト周り伸縮材４２及び腹周り伸縮材４４は、上記不織布４９ａの側縁部に配設し、脚周り伸縮材４０は、上記不織布４９ａの中心軸側の脚周り開口部１２ａ，１２ｂが形成される領域近傍に配置する。その後、それぞれの伸縮材を配置した不織布４９ａの表面に、更にもう１枚の不織布４９ｂを積層し固定する。
【０１２７】
本発明のパンツ型使い捨ておむつに用いられる外装部材１６は、その外側から吸収性本体１４のマーキング５８が視認できるように、例えば、酸化チタンの含有率が１質量％以下の不織布を用いて製造することが好ましい。
【０１２８】
次に、先に製造した立体ギャザー２６ａ，２６ｂが付設された吸収性本体１４を、不織布４９における股下部４に相当する領域に配置する。なお、吸収性本体１４は、外装部材（不織布４９）とは取外し可能な状態に（例えば、仮止めの状態で）接合し、立体ギャザー２６ａ，２６ｂは、外装部材（不織布４９）に完全に固定する。
【０１２９】
次に、積層した不織布４９における脚周り開口部１２ａ，１２ｂが形成される領域に、略円形の孔６０を開ける。本製造方法においては、側縁部にて連結した複数のパンツ型使い捨ておむつを製造するため、上記した孔６０の半円部分が１つの脚周り開口部１２となる。
【０１３０】
次に、積層した不織布４９を、その中心軸に沿って折り返し、おむつの側縁部に相当する部位をヒートシール等の手段により接合し、接合部８を形成して、本発明のパンツ型使い捨ておむつを製造する。
【０１３１】
［３］交換用の吸収性本体：
本発明のパンツ型使い捨ておむつは、外装部材から使用済みの吸収性本体を取外して廃棄し、この外装部材に新たな吸収性本体を装着して繰り返し使用することができる。この際に用いられる新たな吸収性本体（交換用の吸収性本体）としては、使用済みの吸収性本体を取外した外装部材の少なくとも股下部に取外し可能な状態で接合させることができるように構成され、排泄物吸収用の吸収体と、吸収体の表面を被覆するように配置された、少なくとも一部が液透過性材料からなるトップシートと、吸収体の裏面を被覆するように配置されたバックシートとを有する吸収性本体を好適に用いることができる。
【０１３２】
この交換用の吸収性本体を構成する、吸収体、トップシート、及びバックシートは、上述した本発明のパンツ型使い捨ておむつにて説明した吸収性本体を構成する各構成要素と同様に構成されたものを好適に用いることができる。また、この交換用の吸収性本体においては、文字、図形、記号、模様、着色等のマーキングや、着用者の排泄を介護者等の他の人物に知らせるためのサイン等のマーキングが付されたものであってもよいし、マーキングが付されていない無地のものであってもよい。
【０１３３】
本発明のパンツ型使い捨ておむつに用いられる外装部材が、再接着が可能な粘着剤層等を有している場合には、この交換用の吸収性本体は、特別な接合手段を有していなくともよい。一方、例えば、外装部材に設けられた粘着剤層が再接着不可能なものある場合には、交換用の吸収性本体としては、外装部材の少なくとも股下部に取外し可能な状態で接合させるための接合手段を有していることが好ましい。このような接合手段としては、例えば、本発明のパンツ型使い捨ておむつにおける接合部にて説明した粘着剤層や結合部材等を好適例として挙げることができる。
【産業上の利用可能性】
【０１３４】
本発明のパンツ型使い捨ておむつは、良好な装着感を有するとともに、おむつに付与されたマーキングの視認性に優れており、更に、吸収性本体を交換することによって、このマーキングの図案を変更することができ、おむつのデザインに対する楽しみを満足させることができるため、乳幼児用、或いは介護を必要とする高齢者や障害者等の成人用の吸収性物品として利用することができる。
【０１３５】
また、このようなマーキングとして、おむつの前後の識別用の文字や記号を用いることにより、おむつの前後を間違うことなく簡単に着用することができるため、視力が低下している高齢者用のパンツ型使い捨ておむつとして好適に用いることができる。
【０１３６】
更に、本発明のパンツ型使い捨ておむつは、吸収性本体のみを交換することで、それ以外の外装部材等は繰り返し使用することができるため、排泄の回数が多く、頻繁に吸収体を交換する必要がある着用者用の吸収性物品としても好適に用いることができる。
【図面の簡単な説明】
【０１３７】
【図１】本発明のパンツ型使い捨ておむつの一の実施形態を示す概略斜視図であり、本発明のパンツ型使い捨ておむつをその前方から見た状態を示す図である。
【図２】本発明のパンツ型使い捨ておむつの一の実施形態を示す概略斜視図であり、本発明のパンツ型使い捨ておむつをその後方から見た状態を示す図である。
【図３】図２に示すパンツ型使い捨ておむつから、吸収性本体を取外した状態を示す図である。
【図４】本発明のパンツ型使い捨ておむつの一の実施形態を示す一部切り欠き平面図であり、図１に示すパンツ型使い捨ておむつを展開し、おむつの吸収性本体側から見た状態を示す図である。
【図５】本発明のパンツ型使い捨ておむつの一の実施形態を示す平面図であり、図１に示すパンツ型使い捨ておむつを展開し、おむつの外側から見た状態を示す図である。
【図６】本発明のパンツ型使い捨ておむつの実施形態を示す概略断面図であり、図１に示すパンツ型使い捨ておむつをＸ１−Ｘ１’線に沿って切断した断面の例を示す概略断面図である。
【図７】本発明のパンツ型使い捨ておむつの実施形態を示す概略断面図であり、図１に示すパンツ型使い捨ておむつをＸ２−Ｘ２’線に沿って切断した断面の例を示す概略断面図である。
【図８】本発明のパンツ型使い捨ておむつの他の実施形態を示す概略斜視図であり、本発明のパンツ型使い捨ておむつをその後方から見た状態を示す図である。
【図９】図８に示すパンツ型使い捨ておむつから、吸収性本体を取外した状態を示す図である。
【図１０】本発明のパンツ型使い捨ておむつの他の実施形態を示す平面図であり、パンツ型使い捨ておむつを展開し、おむつの外側から見た状態を示す図である。
【図１１】本発明のパンツ型使い捨ておむつの他の実施形態を示す概略斜視図であり、本発明のパンツ型使い捨ておむつをその前方から見た状態を示す図である。
【図１２】本発明のパンツ型使い捨ておむつの他の実施形態を示す概略斜視図であり、本発明のパンツ型使い捨ておむつをその前方から見た状態を示す図である。
【図１３】本発明のパンツ型使い捨ておむつの他の実施形態を展開した一部切り欠き平面図である。
【図１４】図１３に示すパンツ型使い捨ておむつをＸ３−Ｘ３’線に沿って切断した断面を示す概略断面図である。
【図１５】本発明のパンツ型使い捨ておむつの他の実施形態を展開した一部切り欠き平面図である。
【図１６】図１５に示すパンツ型使い捨ておむつをＸ４−Ｘ４’線に沿って切断した断面を示す概略断面図である。
【図１７】本発明のパンツ型使い捨ておむつの更に他の実施形態を展開した一部切り欠き平面図である。
【図１８】図１７に示すパンツ型使い捨ておむつをＸ５−Ｘ５’線に沿って切断した断面の例を示す概略断面図である。
【図１９】本発明のパンツ型使い捨ておむつの更に他の実施形態における概略断面図である。
【図２０】本発明のパンツ型使い捨ておむつの更に他の実施形態における概略断面図である。
【図２１】本発明のパンツ型使い捨ておむつの製造方法を説明する平面図であり、吸収性本体の製造する工程の一例を示す図である。
【図２２】本発明のパンツ型使い捨ておむつの製造方法を説明する平面図であり、吸収性本体にマーキングを付す工程の一例を示す図である。
【図２３】本発明のパンツ型使い捨ておむつの製造方法を説明する平面図である。
【図２４】従来のパンツ型使い捨ておむつを示す概略斜視図であり、本発明のパンツ型使い捨ておむつをその前方から見た状態を示す図である。
【符号の説明】
【０１３８】
１，１００，１１０，１２０：パンツ型使い捨ておむつ、２：前身頃、２ａ，２ｂ：側縁部、４：股下部、６：後身頃、６ａ，６ｂ：側縁部、８：側縁接合部、１０：ウエスト周り開口部、１２，１２ａ，１２ｂ：脚周り開口部、１３：脚周り被覆部、１４：吸収性本体、１６：外装部材、１６ａ，１６ｂ，１６ｃ：不織布、１７：外装体、１８：トップシート、２０：バックシート、２２：吸収体、２３：接合部、２５：液不透過性シート、２６，２６ａ，２６ｂ：立体ギャザー、２７，２７ａ，２７ｂ，２８，２８ａ，２８ｂ：吸収性本体用立体ギャザー、３２，３２ａ，３２ｂ：シート（シート材）、３３，３３ａ，３３ｂ：吸収性本体用立体ギャザー形成シート、３６，３６ａ，３６ｂ：立体ギャザー伸縮材、３８，３８ａ，３８ｂ，３９ａ，３９ｂ：吸収性本体用立体ギャザー伸縮材、４０：脚周り伸縮材、４２：ウエスト周り伸縮材、４４：腹周り伸縮材、４７，４７ａ，４７ｂ：シート、４８：伸縮材（股下部伸縮材）、４９ａ，４９ｂ：不織布、５１：固定部、５４：交換用の吸収性本体、５６：後端（吸収性本体の後端）、５８：マーキング、６０：孔。
【図１】
2008136515.tif 000003
【図２】
2008136515.tif 000004
【図３】
2008136515.tif 000005
【図４】
2008136515.tif 000006
【図５】
2008136515.tif 000007
【図６】
2008136515.tif 000008
【図７】
2008136515.tif 000009
【図８】
2008136515.tif 000010
【図９】
2008136515.tif 000011
【図１０】
2008136515.tif 000012
【図１１】
2008136515.tif 000013
【図１２】
2008136515.tif 000014
【図１３】
2008136515.tif 000015
【図１４】
2008136515.tif 000016
【図１５】
2008136515.tif 000017
【図１６】
2008136515.tif 000018
【図１７】
2008136515.tif 000019
【図１８】
2008136515.tif 000020
【図１９】
2008136515.tif 000021
【図２０】
2008136515.tif 000022
【図２１】
2008136515.tif 000023
【図２２】
2008136515.tif 000024
【図２３】
2008136515.tif 000025
【図２４】
2008136515.tif 000026